Podtech/llm-jp-corpus-v4-ja_patent huggingface dataset:
(57)【要約】【課題】試料の研磨によって観察面にできた研磨きずを目立たなくして試料内部の観察をすることを目的とする。【解決手段】試料１の観察面にＪＩＳ  Ｋ−２２４６  ＮＰ−３に準拠した油２を塗布し、照明３の光を照射して図示しない顕微鏡で観察することで研磨中のきず４を目立たなくなり、観察面を正確に観察することができた。【選択図】        図１
2004170213.tif 000002
【特許請求の範囲】
【請求項１】
試料の内部を観察するために、観察面にＪＩＳ  Ｋ−２２４６  ＮＰ−３に準拠した油を塗布する方法
【発明の詳細な説明】
【０００１】
【発明の属する技術分野】
本発明は、配線板や積層板内部を削り出して観察する時に試料の観察面を処理する方法に関する。
【０００２】
【従来の技術】
配線板や積層板の内部を観察する方法には、Ｘ線を用いて透視した画像を観察する方法（例えば、非特許文献１参照）と、観察する部分を削り出してから顕微鏡を用いて、表面（以下観察面）を目視で観察する方法（例えば、非特許文献２参照）がある。
【０００３】
Ｘ線を用いて透視した画像を観察する方法は、試料を破壊せずに基板内部のずれや形状を観察できるが、試料内部の寸法を正確に測定できない他、欠陥を正確に観察できない。
【０００４】
【非特許文献１】製品・設備安全と非破壊試験：ＥＳＰＥＣ技術情報  ダイジェスト版  Ｎｏ．１
【非特許文献２】ＪＩＳ  Ｃ  ５０１２  ６．２項  日本規格協会
【０００５】
【発明が解決しようとする課題】
一方、試料を削り出して観察する方法は、試料内部の寸法を正確に測定でき、また欠陥を正確に観察できる特徴を有する。
この試料を削り出して観察する方法は、研磨紙の砥粒が＃１２０程度の荒目から＃１２００程度の細目の順に削り出しを進め、アルミナを成分とする研磨粉を用いて研磨（以下仕上げ研磨）してから、該当箇所を観察する方法である。
【０００６】
しかし、仕上げ研磨をしても、観察面にきず（以下研磨きず）が残っている場合が多く、観察する際にこの研磨きずを欠陥と誤認することがあった。また、仕上げ研磨の前に観察した場合、小さな現象は研磨きずがあるために正確な状態を把握できないことがあった。それにより、追加で研磨をした場合に観察したい箇所が削り取られて無くなり観察ができなくなった。
本発明は、試料を破壊して観察する場合、試料の研磨によって観察面にできた研磨きずを目立たなくして試料の内部を正確に観察することを目的とする。
【０００７】
【課題を解決するための手段】
上記目的を達成するために、本発明は、観察面にＪＩＳ  Ｋ−２２４６  ＮＰ−３に準拠した油を塗布してから、観察することを特徴とする。
【０００８】
【発明の実施の形態】
試料を研磨した後の観察面には研磨きずがあるが、ＪＩＳ  Ｋ−２２４６  ＮＰ−３に準拠した油を観察面に塗布することにより、ＪＩＳ  Ｋ−２２４６  ＮＰ−３に準拠した油が研磨きずを覆うために、観察時には照明からの光が研磨きずから反射することをおさえるため、きずが見えなくなる。
【０００９】
【実施例】
本発明の実施例について図を用いて説明する。
図１は、本発明による試料の観察方法の一例を示す模式図である。図２はＪＩＳ  Ｋ−２２４６  ＮＰ−３に準拠した油を試料に塗布していない状態で観察時の光を照射した場合の、光の反射状態を示す一例の断面図である。図３はＪＩＳＫ−２２４６  ＮＰ−３に準拠した油を試料に塗布した状態で観察時の光を照射した場合の、光の反射状態を示す一例の断面図である。
【００１０】
試料１は回路６と回路６に発生した不具合現象７及び回路上の基材５からなる。
【００１１】
基材５からなる試料１の観察面にＪＩＳ  Ｋ−２２４６  ＮＰ−３に準拠した油２を塗布し、照明３の光を照射し、図示しない顕微鏡で観察する。
この時、ＪＩＳ  Ｋ−２２４６  ＮＰ−３に準拠した油には、呉工業製「ＣＲＣ−５５６」を使用した。
【００１２】
基材５からなる試料１の観察面にＪＩＳ  Ｋ−２２４６  ＮＰ−３に準拠した油２を塗布しない状態で照明３の光を照射し、図示しない顕微鏡で観察した場合、試料１の観察面に研磨きず４があるため、照明３の光が乱反射し、図示しない顕微鏡で観察すると研磨きず４が観察される。
【００１３】
一方、基材５からなる試料１の観察面にＪＩＳ  Ｋ−２２４６  ＮＰ−３に準拠した油２を塗布した状態で照明３の光を照射し、図示しない顕微鏡で観察した場合、試料１の観察面の研磨きず４がＪＩＳ  Ｋ−２２４６  ＮＰ−３に準拠した油２に覆われ、照明３の光が乱反射しないため、図示しない顕微鏡で観察すると研磨きず４が目立たなくなる。
【００１４】
【発明の効果】
試料１にＪＩＳ  Ｋ−２２４６  ＮＰ−３に準拠した油２を塗布し、照明３の光を照射して図示しない顕微鏡で観察した結果、研磨きず４が目立たなくなり、観察面を正確に観察することができた。
【図面の簡単な説明】
【図１】試料の観察方法の一例を示す模式図
【図２】ＪＩＳ  Ｋ−２２４６  ＮＰ−３に準拠した油を試料に塗布していない状態で観察時の光を照射した場合の、光の反射状態を示す一例の断面図
【図３】ＪＩＳ  Ｋ−２２４６  ＮＰ−３に準拠した油を試料に塗布した状態で観察時の光を照射した場合の、光の反射状態を示す一例の断面図
【符号の説明】
１・・・試料
２・・・ＪＩＳ  Ｋ−２２４６  ＮＰ−３に準拠した油
３・・・照明
４・・・研磨きず
５・・・基材
６・・・回路
７・・・不具合現象
８・・・観察箇所
９・・・観察箇所の拡大図
【図１】
2004170213.tif 000003
【図２】
2004170213.tif 000004
【図３】
2004170213.tif 000005
(57)【要約】【課題】レーザー露光装置におけるガルバノメータースキャナーの原点調整を容易に行うことができる冶具を提供することを課題とするものである。【解決手段】分割筒体１０ａ，１０ｂ，１０ｃ，１０ｄ，１０ｅを連結して本体Ａを構成する。本体Ａの上端にレーザー露光装置のガルバノメータースキャナー１に設けられた原点調整盤７への取付用雄ネジ１１を設け、下端にはターゲット１２を設ける。このターゲット１２の上方に２個のピンホール盤１３，１３を設け、その上部にレーザー通過確認窓１４，１４を設ける。【選択図】  図３
2004170847.tif 000002
【特許請求の範囲】
【請求項１】
レーザー露光装置のガルバノメータースキャナーに設けられた原点調整盤への取付部を上端に設けた適宜長さの筒状または枠状の本体の下端にターゲットを設け、このターゲットの上方に少なくとも１個のピンホール盤を設け、その上部又は下部にレーザー通過確認窓を設けたことを特徴とするレーザー露光装置におけるガルバノメータースキャナーの原点調整冶具。
【発明の詳細な説明】
【０００１】
【発明の属する技術分野】
本発明は、レーザーを用いた露光装置等に用いられているガルバノメータースキャナー（以下ガルバノと略す）の原点調整冶具に関するものである。
【０００２】
【従来の技術】
レーザー露光装置において、ＸとＹミラーを持つガルバノに入射したレーザー光を、直下の露光面に垂直に投射した点を原点として、そこから各方向に振らせるため、ガルバノから露光面への垂直光が集光レンズの中心を通る必要がある。
【０００３】
図１は従来のガルバノの一部截断側面図、図２は同平面図で、１はガルバノ、２はレーザー入射光、３，４はＸミラーとＹミラー、５，６はミラーの駆動装置、７はｆ・θレンズ８（レンズは省略）を取付ける原点調整盤である。
【０００４】
従来の調整方法は、図２に示す３本の原点調整ネジ９ａ、９ｂ、９ｃを操作して納入時に調整されている位置を垂直投射していたが、ガルバノの取り付け位置とレンズの中心位置がずれてしまうという問題があった。
【０００５】
【特許文献１】
特開２００１−１５９１１８号公報（第２図）
【０００６】
【発明が解決しようとする課題】
そこで本発明は、容易に原点調整を行うことができる冶具を提供することを課題とするものである。
【０００７】
【発明が解決するための手段】
本発明は、上記の課題を解決するためになされたもので、前記ガルバノ１に設けられた原点調整盤７への取付部を上端に設けた適宜の長さの筒状又は枠状の本体の下端にターゲットを設け、このターゲットの上方に少なくとも１個のピンホール盤を設け、且つその上部又は下部にレーザーの通過確認窓を設けたものである。
【０００８】
本体は取付の容易性を考え、分割式とすることが好ましい。
【０００９】
【発明の実施の形態】
図３は、本発明の一実施例の一部截断側面図で、Ａは円筒状の分割筒体１０ａ、１０ｂ、１０ｃ、１０ｄ、１０ｅを螺合連結した筒状本体である。
【００１０】
そして、筒状本体Ａの上端には、ガルバノ１の原点調整盤７に設けられた雌ねじ部７ａと螺合する雄ネジ１１（取付部）が設けられ、また下端には図４の（ａ），（ｂ）に示すようなターゲット１２が取付けられている。なお、図４中１２ａはターゲット１２を固定するためのリングネジである。
【００１１】
１３，１３は分割筒体１０ａの下端と分割筒体１０ｃの中間に設けられた図５の（ａ）、（ｂ）に示すようなピンホール盤で、それぞれリングネジ１３ａにより分割筒体に固定されている。１４，１４は分割筒体１０ｃのピンホール盤１３の上方に設けたレーザー通過確認窓である。
【００１２】
次に本発明にかかる原点調整冶具Ａの使用法について説明すると、先ず、ｆ・θレンズ取付け雌ネジ部７ａを利用して、本体Ａを原点調整盤７に取付ける。入射したレーザー光２はガルバノ１のＸミラー３で反射してＹミラー４に投射され、Ｙミラー４で垂直に投射される。原点調整冶具の本体Ａに垂直に配置された２個のピンホール盤１３，１３の各ピンホールを通過して中心に十字線１２ｂが画かれたターゲット１２に届くようにレーザー光がピンホール盤１３を正しく通過しているか否かをレーザー通過確認窓１４，１４から確認し、ずれている場合はガルバノ１のオフセットを調整する。
【００１３】
本体Ａは分割式にしてあるので、取付けは容易である。測定間隔を大きく取ることが出来るので、精度を向上することが出来ると共に、各種の寸法の露光装置に対応可能である。ピンホールの径を小さく、距離を長くとることによりガルバノから垂直に投射されるレーザー光の垂直の精度が向上する。
【００１４】
１番目のピンホール盤１３のピンホールの径をビーム径の２倍から５倍程度に大きくしておき、２番目のピンホール盤１３のピンホールの径をビーム径の１倍から２倍程度にしておき、分割筒体１０ｄと１０ｅにもレーザー通過確認窓を設けておくことにより調整がしやすく、精度の高い調整が行える。勿論この径にとらわれなくても良いことは言うまでもない。
【００１５】
実施例ではピンホール盤１３を分割した筒体の３番目と４番目に取り付けたが、１番目や２番目と４番目に取り付けられるようにしてピンホール間の間隔を稼ぐようにしても良い。なお、本体Ａが枠状本体の場合は、レーザー通過確認窓を省略できることは勿論である。
【００１６】
【発明の効果】
本発明に係る原点調整冶具Ａを用いることにより原点調整作業を簡単且つ迅速に行うことが出来る。
【図面の簡単な説明】
【図１】従来のレーザー光装置のガルバノメータスキャナーの一部截断側面図。
【図２】図１の従来装置の平面図。
【図３】本発明実施例の一部截断側面図。
【図４】ターゲットの拡大断面図と平面図。
【図５】ピンホールの拡大断面図と平面図。
【符号の説明】
１              ガルバノ
２              レーザー入射光
３              Ｘミラー
４              Ｙミラー
５、６          ミラーの駆動装置
７              調整盤
８              ｆ・θレンズ
９ａ〜９ｃ      原点調整ネジ
１０ａ〜１０ｅ  分割筒体
１１            雄ネジ
１２            ターゲット
１３            ピンホール盤
１４            レーザー通過確認窓
Ａ              本体
【図１】
2004170847.tif 000003
【図２】
2004170847.tif 000004
【図３】
2004170847.tif 000005
【図４】
2004170847.tif 000006
【図５】
2004170847.tif 000007
(57)【要約】【課題】従来の自動再生教材ソフトのパソコン学習において、パソコン１台に、モニター１台で学習するには、初心者には理解しにくかった。従ってパソコン１台に、２台のモニター画面を使用して、自動再生学習教材ソフトの音声と映像を見ながら、もう一方の画面でその指示通りに操作するという２画面方式の学習システムを提供する。【解決手段】１台のパソコン本体に２台のモニター画面を接続し、学習者は自動で再生する学習教材ソフトの音声と映像を見ながら、同時に、もう一方の画面上で指示通りに、パソコン操作が出来ることをその特徴とする。【選択図】図１
2004170893.tif 000002
【特許請求の範囲】
【請求項１】
１台のパソコン本体に２台のモニター画面を接続（マルチモニター）し、片方のモニター画面に学習教材ソフトを自動再生させ、もう一方のモニター画面では学習者がその指示通りに操作をし、学習を進めていくシステム。
【発明の詳細な説明】
この発明は、１台のパソコン本体に２台のモニター画面を接続し、片方のモニター画面でインストラクター役の学習教材ソフトを自動再生させ、もう一方のモニター画面では学習者がそれを見ながら操作をし、学習を進めていくシステムに関するものである。
（従来の技術）
従来のパソコンでの自動再生学習教材ソフトを使用しての学習方法は、パソコン本体１台に１台のモニターを接続しての学習方法であった。即ち、１台のモニターで学習教材ソフトを自動再生させるというシステムのため、学習者は自ら操作することは出来なく、自動再生する学習教材ソフトを見て覚えるという学習方式である。他にもパソコン本体１台にモニター画面１台を接続し、モニターのウィンドウ画面を上下の２つの画面に分割する方式がある。分割した上段には数分毎に一区切りで停止する学習教材ソフトを自動再生させ、学習者は一区切りの終了を待ってから、下の半分に分割したモニター画面で操作をしながら学習をしていくというシステムである。しかしそれらにはいずれも欠点があった。前者の欠点は、パソコン学習者（特に初心者）には、自動再生学習教材ソフトを見て学習をするというだけでは理解するに大変難しいという欠点である。後者の欠点は１台のモニター画面を上下の２つに分割しているため、上段のモニターの自動再生学習教材ソフトの部分と、下段の学習者用のモニターの部分が半分の大きさになる。その為、見づらくなると同時に、自動再生学習教材ソフトが一区切り終了するまでの間は、学習者はリアルタイムに操作が出来ず、記憶を辿りながら後で操作をしなければならない為、パソコン初心者（特に中高年者）には理解が難しいという欠点である。
本発明は、その欠点を除くためになされたもので、図面について説明すれば、（１）の１台のパソコン本体に（２）と（３）の二台のモニター画面を接続し、ウインドウズの機能に付随するマルチモニター方式を利用する。そして、（３）のモニター画面で学習教材ソフトを自動再生させ、（２）のモニター画面では学習者が（３）の自動再生学習教材ソフトの音声と動画を見ながら、操作学習をしていくというシステムである。（３）の自動再生学習教材ソフトのモニターの位置と（２）の学習者のモニターの位置は上下左右どちらでもよい。この方式の学習では、学習者は記憶を辿りながら操作するのでは無く、自動再生される学習教材ソフトを見ながら、もう一方のモニター画面でリアルタイムに操作が可能なため、初心者にも大変理解しやすくなる。更にモニター画面が小さく見づらいということからもが解消される。
【図面の簡単な説明】
【図１】本発明のパソコン２画面方式の学習システム
【符号の説明】１はパソコン本体
２はモニター
３はモニター
【図１】
2004170893.tif 000003
(57)【要約】【課題】ポータブルカーナビゲーションにカラオケ演奏機能を付加し、ポータブルカーナビを自在に車より取り外し、野外、家庭その他のところでカラオケ演奏器として楽しむことができるようにした。【解決手段】ポータプルカーナビのＤＶＤ、又はＣＤ−ＲＯＭドライブにカラオケソフトを挿入して、カラオケ演奏をたのしむもので、ポータブルカーナビのディスプレー周辺枠にカラオケ演奏用マイクを埋設し、外部接続カラオケ演奏用マイクの入力端子及びマイク型カラオケ演奏器の接続端子を設けてなるものである。【選択図】    図１
2004170892.tif 000002
【特許請求の範囲】
【請求項１】
カーナビゲーションにカラオケ演奏機能を持たせ、ディスプレーの周辺枠にカラオケ用マイクを埋設する。
【請求項２】
ディスプレーの周辺枠に外部から接続するカラオケ用マイクの入力端子を設ける。
【請求項３】
ディスプレーの周辺枠にマイク型カラオケ演奏器用プラグイット専用ケーブルの外部入力端子を設ける。
【発明の詳細な説明】
【０００１】
【発明の属する技術分野】
本発明は、カーナビゲーションに付加機能としてカラオケ演奏器を設ける。
【０００２】
【従来の技術】
自動車用カーナビは従来の地理案内機能の外、ＤＶＤ，テレビ、音楽ＣＤ等多種の機能がついたものがあるがカラオケ機能はなかった。
【０００３】
【発明が解決しようとする課題】
カーナビはポータブルになって、自動車より持ち出し、歩行の時に携帯して地理案内に使用するほか、自宅に持ちかえり、ＤＶＤ、テレビ、音楽ＣＤを楽しむのに使用する。本案は上記機能の外カラオケ演奏機能を持たせるものである。
【０００４】
【課題を解決するための手段】
上記の目的を達成するため、本発明はＤＶＤ、又はＣＤ−ＲＯＭドライブにカラオケソフトを挿入し、カラオケを演奏して楽しむもので、ポータブルになったカーナビのディスプレーの周辺枠にカラオケ用のマイクを埋設し、ディスプレーの周辺枠には外部から接続するカラオケ用マイクの入力端子及びマイク型カラオケ演奏器用プラグイット専用ケーブルの外部入力端子を設ける。
【０００５】
【発明の効果】
上記のように構成したので車に設置したままカラオケ演奏を楽しむほか車から取り外して、野外や家庭内、宴会など人の集まる場所でカラオケを楽しむことができる。ポータブルは軽く持ちやすいのでディスプレー本体を手に持ってディスプレーの周辺枠に設けた埋設マイクに向かって画面を見ながら楽譜を読むような姿勢で歌うことができる。外部から接続するカラオケ用マイク入力端子にマイクを接続し、壁にポータブルカーナビを掛けたり、台に置いたりしてカラオケ演奏と歌を楽しむことができる。又マイク型カラオケ演奏器もプラグイット専用ケーブルの外部入力端子に接続してカラオケを楽しめる。
【図面の簡単な説明】
【図１】本発明の斜視図である。
【符号の説明】
１  カーナビ本体
２  ディスプレー
３  ディスプレー周辺枠にもうけた埋設マイク
４  接続マイク用外部入力端子
５  マイク型カラオケ演奏器用外部入力端子
【図１】
2004170892.tif 000003
(57)【要約】【課題】従来カラオケ装置におけるキー調整は、人為的に行わなければならない。そこで本発明では、歌い始めると同時に、あらかじめ入力した、その人の声のキーと曲のキーの違いを察知、測定し、自動的に本人に影響を与えないかたちで、スムースに、その人のキーに合わせ歌いやすくする。更に、出だしがずれて歌い始めている場合には、それを検知して自動的に歌い手側にずれを自動的に合わす。【解決手段】１．キーの自動調整は自動調整アタッチメントを装着し、歌手が歌い始めると同時にアタッチメントにあらかじめ入力してある歌手の声の高さのでる範囲と曲の一番上と下の音の高さを比較判定し、上／下が出ないと判定した場合、それが出るようにカラオケのキーを自動変更する。２．出だしがずれて歌い始めている場合には、自動調整アタッチメントにより、それを検知して自動的に歌手側にずれを合わせる。【選択図】      図１
2004170891.tif 000002
【特許請求の範囲】
【請求項１】
歌い始める前にその人のキーを入力し、その人の声の高さと曲の高さのずれを測定し、どの位違っているかを察知し、本人に影響を与えないかたちでスムースに、歌える範囲のキーに曲のキーを自動的に変える、キー自動調整装置。
【請求項２】
歌手によっては、その通り歌ってるつもりでも出だしがずれて歌い始めている。そのずれを検知して歌手側にずれを自動的に合わす，出だしずれ自動調整装置。
【請求項３】
請求項１及び請求項２のそれぞれの機能を達成するための手順
図１（キー自動調整装置システム）と図２（出だしずれ自動調整装置システム）をＩＣ回路に組み込んで、両機能を自動調整アタッチメント化したキー及び出だしずれ自動調整機能付カラオケシステム。
【発明の詳細な説明】
【０００１】
【発明属する技術分野】
本発明は、音楽機器の分野に属する。
【０００２】
【従来の技術】
従来のカラオケ装置は、歌う人及び他の人がキーのレベルを判断し、手動で歌手が歌いやすいキーに変更している。更に、音痴の人は、その通り歌ってるつもりでも出だしがずれて歌い始めているが、そのずれを合わす機能を装備しているカラオケは現在ない。
【０００３】
【発明が解決しようとする課題】
１．演奏のキーが歌手のキーに合っているかを検知し、合ってない場合は自動的に合わす仕組み。２．出だしがずれて歌い始めている場合には、それを検知して自動的に歌手のずれ側に合わす仕組み。
【０００４】
【課題を解決するための手段】
１．キーの自動調整は自動調整アタッチメントを装着し、歌手が歌い始めると同時にアタッチメントにあらかじめ入力してある歌手の声の高さのでる範囲と曲の一番上と下の音の高さを比較判定し、上／下が出ないと判定した場合、それが出るようにカラオケのキーを自動変更する。
２．出だしがずれて歌い始めている場合には、自動調整アタッチメントにより、それを検知して自動的に歌手側にずれを合わせる。
【０００５】
【発明の実施の形態】
キーの自動調整は、図１の手順で行う。また、曲のずれを伴う歌い手に対しては、図２の手順で、ずれを自動的に合わせる。
上記の、両機能を実施するために図１及び図２の手順をＩＣ回路に組み込んで、両機能をアタッチメント化し、それをキー及び出だしずれ自動調節機能付カラオケシステムの自動調節アタッチメントとする。
【０００６】
【実施例】
本発明の機能を装備したコンパクトな箱状の装置、自動調整アタッチメントを、従来のカラオケ装置に追加装備することにより、キー及び出だしずれの自動調整が可能となるカラオケシステムとなる。
【図面の簡単な説明】
【図１】キー自動調整装置システム
【図２】出だしずれ自動調整装置システム
【図１】
2004170891.tif 000003
【図２】
2004170891.tif 000004
(57)【要約】【課題】従来はパソコンの自動再生学習教材ソフトのコントローラーボタンはモニター画面に作成し、マウスで操作していた。従って、マウス操作が不自由なパソコン初心者には不便だった。また、画面のアクティブがコントロールボタンに取られてしまい、文字入力の途中でも勝手に「確定」されてしまい、効率が悪かった。パソコン用ゲームコントローラーの機能を応用することで、これらを解消させ、パソコンの学習初心者に便利さを提供する。【解決手段】モニターの中にあったコントローラーボタンを物理的にパソコンの外に出し、操作をし易くしたことと、アクティブが画面のコントローラーボタンに取られず、入力中の文字が不本意に確定がされないことを特長とする。【選択図】図１
2004170894.tif 000002
【特許請求の範囲】
【請求項１】
パソコンのゲームコントローラーの機能を応用した、自動再生学習教材ソフトのパソコン用の停止、再生、巻き戻し、先送り、メニューの機能が付いたコントローラーシステム
【発明の詳細な説明】
この発明は、インストラクター役の学習教材ソフトを自動再生させ、学習者がそれを見ながら自分用のパソコンを操作し、学習を進めていく為のコントローラーシステムに関するものである。
（従来の技術）
従来のパソコンでの自動再生学習教材ソフトの操作方法は、画面の中の、停止、再生、巻き戻し、先送り等のボタンを利用し、マウスでそれらのボタン（停止、再生等）を操作する方法であった。しかしそこには２点の欠点があった。
１点目はパソコン操作が初めての人でマウス操作に不慣れな人（特に中高年の人）には、リアルタイムにその機能は使えなかった。２点目は１台のパソコン本体上で操作をするため、アクティブが両面上のコントローラーボタンに取られてしまい、文字入力の途中でもその機能（停止、再生等）を使用した途端に文字が確定されてしまうという欠点があった。例えば、入力途中に片方画面で学習教材ソフトが自動再生中、インストラクターが教える入力練習についていけなくなり、モニター画面の停止ボタンを操作した途端、画面のアクティブがその停止ボタンの方に取られてしまい、自分が打ち込んでいる文字が「ひらがな」から「漢字」に変換する前に、勝手に確定されてしまい、最初からもう一度、同じ文字を打ち直さなければならなくなるという不便さがあった。
本発明は、その欠点を除くためになされたもので、従来はパソコンのゲームコントローラーの機能（画面上に影響を与えないで信号を送る機能）はゲームのみに利用されていたが、その機能を自動再生学習教材ソフトのコントローラーへの応用を考えた。
それを図面について説明すれば、まず、パソコンのモニター画面の中に作成されていたコントローラーボタン代わりに、（１）のようなコントローラー機を使用し、物理的にパソコンの外に出した。その結果、マウス操作に不慣れで、停止等の機能をリアルタイムに使えなかった初心者でも、パソコンのモニター画面上で動作している自動再生学習教材ソフトをまるでビデオ画面を操作するかのように、手元で自由に（２）の停止再生ボタン、（３）先送りのボタン、（４）の巻き戻しボタン、（５）のメニューボタンの操作ができる様になる。また、従来はモニター画面上のコントローラーのボタンにアクティブが取られていたものが、パソコンのゲームコントローラーの機能を応用することによって、アクティブがコントローラーのボタンに取られるという欠点から解消される。従って、文字入力途中で停止、再生等のボタンを押した時でも、文字が勝手に確定されてしまい、もう一度同じ文字を打ち直すという欠点から解消され、パソコンでの自動再生学習教材ソフトを使用しての学習効率が向上する。
【図面の簡単な説明】
【図１】コントローラーの平面図である
【符号の説明】
（１）はコントローラー機  （２）は停止再生ボタン  （３）は先送りボタン
（４）は巻き戻しボタン  （５）はメニューボタン
【図１】
2004170894.tif 000003
(57)【要約】【課題】ビデオカメラ撮影時に於ける手ぶれ防止を、簡便に図られるようにするための抑制器具の提供。【解決手段】基台を挟んで片側に伸縮ロッド、他側にグリップハンドルの三者を一体化させ、基台は上面にビデオカメラへの脱着自在用ネジを取付け、一方伸縮ロッドは適当の長さに引伸可能となし、その適宜な引伸し状態で肩側へ当接されるものとなし、他方グリップハンドルは垂直方向へ引き起こして右手或いは左手で把持可能となし、これにより前記肩上の伸縮ロッドを一時的に固定化させ、三角トラストの形成されるものとなす。【選択図】      図３
2004170881.tif 000002
【特許請求の範囲】
【請求項１】
基台を挟んで片側に伸縮ロッド、他側にグリップハンドルの三者を一体化させ、基台は上面にビデオカメラへの脱着自在用ネジを取付け、一方伸縮ロッドは適当の長さに引伸可能となし、その適宜な引伸し状態で肩側へ当接されるものとなし、他方グリップハンドルは垂直方向へ引き起こして右手或いは左手で把持可能となし、これにより前記肩上の伸縮ロッドが一時的に固定化されるものとなした構成を特徴とするビデオカメラ用手ぶれ抑制器具。
【請求項２】
基台の長さ寸法は凡そ１０ｃｍ〜１５ｃｍ、伸縮ロッドの伸縮長さ寸法は凡そ１５ｃｍ〜６０ｃｍ、グリップの長さ寸法は凡そ１０ｃｍとなしたことを特徴とする請求項１記載のビデオカメラ用手ぶれ抑制器具。
【発明の詳細な説明】
【０００１】
【発明の属する技術分野】
この発明はビデオカメラと合体させて使用するビデオカメラ用手ぶれ抑制器具に関する。
【０００２】
【従来の技術】
最近のビデオカメラは小型化・軽量化傾向が進み、逆に撮影中の手ぶれが大きくなっている。特に撮影中におけるスイッチ類やズームボタン等の操作によって手ぶれがよりひどくなっている。
これらの事情から、リチウムイオンバッテリー収納部をグリップハンドルに変化させて、そのグリップハンドルをビデオカメラ本体に回動可能にセットした商品が既に製品化されている。
【０００３】
リチウムイオンバッテリーは液漏れの許されない密封ケーシングの内部に多数本の蓄電池を配線設置したものであり、現状技術ではその大きさの小型化には限界がある。その制約からグリップハンドルとしてはデザイン的に似つかないばかりか、持ちにくいグリップハンドルとなっている。このグリップハンドルを握っての撮影においても、手ぶれの根本的解消に至っていない。
【０００４】
【特許文献】
実用新案登録第３０１６９６８号
【０００５】
【発明が解決しようとする課題】
本発明はビデオカメラを固定する決定的手段として三脚原理の三点支持に着目した。そしてこの原理を現在の小型化・軽量化傾向に逆行しないデザインに具現化した上で、撮影時の手ぶれ解消に役立つビデオカメラ用手ぶれ抑制器具を提供することを目的とする。
【０００６】
【課題を解決するための手段】
本発明は、基台を挟んで片側に伸縮ロッド、他側にグリップハンドルの三者を一体化させ、基台は上面にビデオカメラへの脱着自在用ネジを取付け、一方伸縮ロッドは適当の長さに引伸可能となし、その適宜な引伸し状態で肩側へ当接されるものとなし、他方グリップハンドルは垂直方向へ引き起こして右手或いは左手で把持可能となし、これにより前記肩上の伸縮ロッドが一時的に固定化されるものとする。
このさい、基台の長さ寸法は凡そ１０ｃｍ〜１５ｃｍ、伸縮ロッドの伸縮長さ寸法は凡そ１５ｃｍ〜６０ｃｍ、グリップの長さ寸法は凡そ１０ｃｍとなされるものとする。
【０００７】
【発明の実施の形態】
図１は本発明に係るビデオカメラ用手ぶれ抑制器具の斜視図、図２は上記器具の脚部を引き伸ばし、且つグリップハンドルを手に持つように引き起こした斜視図、図３はビデオカメラを取付けた使用状態図である。
各図に於いて１は基台、２は該基台１上に取付けてあるビデオカメラとの脱着自在用ネジ、３は上記基台１の片側面にバンド４を使用して取付けてなる伸縮ロッドである。該伸縮ロッド３は伸縮長さ寸法を凡そ１５ｃｍ〜６０ｃｍ程度となし、市販のカメラ用三脚などの一脚を代用することができる。
【０００８】
５は上記基台１の他側面に取付けてなるグリップハンドルであって、上記伸縮ロッド３の脚先が引き出される方向と反対側端縁箇所を、ネジボルト６で回動自在に止着するのであり、本例でネジボルト６は上記伸縮ロッド３を基台１に取付けるための基台側取付け手段と兼用させる。即ち、図示例の如く該ネジボルト６の底部ｐをグリップハンドル５の側面に取付けた状態で基台１を貫通させ、その頭部に蝶ネジ７を螺合させるものとなすのであり、蝶ネジ７の時計廻り回動で締め付け固定され、反時計廻りでは緩められてグリップハンドル５が該ボルト軸を支軸に回動可能となされるのである。
【０００９】
上記に於いて、基台１は凡そ１０ｃｍ〜１５ｃｍ程度の持運びに便利な長さ寸法になされ、又木製或いはプラスチックや軽金属などの軽量化の図られるものとなしてあり、ビデオカメラと共に携行し、適宜手ぶれ防止の必要時にビデオカメラと一体化して使用するのである。
【００１０】
図３はビデオカメラ８を取付けて行う撮影状態を示すものであり、手ぶれを防止するべく伸縮ロッド３から脚部３ａ，３ｂ，・・・を必要長さ寸法に引き出し、その先端部を肩上ｍへ載置させるほか、左手は引き起こしたグリップハンドル５を握りしめるのである。
上記状態で左右の肘部を身体の両側へ引き付けた状態では、図面の一点鎖線の軸線１〜６で示す通り、立体的な三角トラスが形成され、これは実質的に支点ｋ１，ｋ２，ｋ３を市販の三脚の固定位置としたものとする同様の作用効果が発揮されるものとなるのである。
【００１１】
図示例では伸縮ロッド３の脚部３ａ先端を肩上ｍに位置させ、該部に支点ｋ１を形成したものを示したが、これ以外にいわゆるショルダーガンの如く肩部の前面側へ、該脚部３ａ先端が押圧状態に当接されるものとなして使用することも差し支えない。
【００１２】
撮影後は引き伸ばされていた脚部３ａ先端を縮めて収納すると共に、蝶ネジ７を緩めてグリップハンドル５を基台１側面へ向けて回動させ、図１に示した元の状態に戻すのである。なお、本発明に係る他の実施例として、上記器具はビデオカメラと一体化した状態の構成となしても良い。又、グリップハンドルの左手持ちに代わる右手持ちの使用状態では、その取付け位置を変えるのである。
【００１３】
【発明の効果】
本発明は以上の通り構成するのであり、市販の三脚の使用に当たっては予め好適な場所取りや、その箇所に於ける三脚の位置固定などに時間が掛かり、撮影時の簡便性や迅速性などの点で問題のあるものであるが、本発明に係る器具の使用により簡便且つ迅速な対応が可能となり、しかも撮影中の手ぶれの可及的防止が安易に図れる上で著効を奏するものである。
【図面の簡単な説明】
【図１】本発明に係るビデオカメラ用手ぶれ抑制器具の斜視図である。
【図２】上記器具の脚部を引き伸ばし、且つグリップハンドルを手に持つように引き起こした斜視図である。
【図３】使用状態図である。
【符号の説明】
１      基台
２      脱着自在用ネジ
３      伸縮ロッド
４      バンド
５      グリップハンドル
６      ネジボルト
７      蝶ネジ
８      ビデオカメラ
【図１】
2004170881.tif 000003
【図２】
2004170881.tif 000004
【図３】
2004170881.tif 000005
(57)【要約】【課題】安定して蒸気を発生させて、蒸気タービン発電機で必要な発電を行うことのできる発電装置を得ること。【解決手段】電気ボイラ１に深夜電力を供給できる電源線５を接続する。電気ボイラ１に管路６を介してアキュムレータ２を接続する。アキュムレータ２に自動調節弁８を介して蒸気タービン３を接続する。蒸気タービン３の出力軸１０に発電機４を連結する。深夜電力等の余剰電気によって電気ボイラ１で蒸気が発生する。発生した蒸気はアキュムレータ２内へ蓄圧される。蓄圧された蒸気は必要な時期に蒸気タービン３へ供給され、発電機４で所定の電気を発生する。【選択図】　　　　　　図１
2004100657.tif 000002
【特許請求の範囲】
【請求項１】
余剰エネルギを利用して蒸気を発生し、当該蒸気をアキュムレータへ蓄圧して、当該蓄圧した蒸気を適宜放出して蒸気タービン発電機を駆動することによって電力を発生するものにおいて、余剰エネルギを深夜電力等の余剰電気とすることを特徴とする発電装置。
【発明の詳細な説明】
【０００１】
【発明の属する技術分野】
この発明は、深夜電力等の余剰電気を利用して蒸気を発生させて、一旦アキュムレータに蓄圧して必要な時期に蒸気タービン発電機で発電する発電装置に関する。
【０００２】
【従来の技術】
【特許文献１】特開平５−４４４０６号公報
これには、排ガスの顕熱を排ガス処理装置で回収して飽和蒸気を発生させ、この飽和蒸気をアキュムレータを介して蒸気タービンに供給してタービン発電機を駆動する発電設備が開示されている。
【０００３】
【発明が解決しようとする課題】
上記従来の発電設備では、排ガスが発生している間は、その顕熱によって蒸気を作りアキュムレータへ蓄圧することができるが、排ガスが発生していない場合は蒸気を作ることができず、装置によってはアキュムレータに所定量且つ所定圧力の蒸気を確実に蓄圧することができない問題があった。
【０００４】
この実情に鑑み、本発明の課題は、蒸気を発生するためのエネルギ源を安定したものを利用することによって、アキュムレータに所定の蒸気を確実に蓄圧することのできる発電装置を得ることである。
【０００５】
【課題を解決するための手段】
上記の課題を解決するために講じた本発明の手段は、余剰エネルギを利用して蒸気を発生し、当該蒸気をアキュムレータへ蓄圧して、当該蓄圧した蒸気を適宜放出して蒸気タービン発電機を駆動することによって電力を発生するものにおいて、余剰エネルギを深夜電力等の余剰電気とするものである。
【０００６】
【発明の実施の形態】
深夜電力等の余剰電気を利用することによって、安定して蒸気を発生させることができ、アキュムレータに所定の蒸気を確実に蓄圧することができる。
【０００７】
【実施例】
図１において、電気で蒸気を発生する電気ボイラ１と、発生した蒸気を蓄圧するアキュムレータ２と、アキュムレータ２の蒸気によって回転力を生じる蒸気タービン３、及び、蒸気タービン３の回転と連動する発電機４とで発電装置を構成する。
【０００８】
電気ボイラ１には、安定した深夜電力等の余剰電気を供給する電源線５を接続する。電気ボイラ１で発生した蒸気は管路６と自動調節弁７を介してアキュムレータ２へ供給する。従って、アキュムレータ２内には、深夜の間に余剰電力で確実に所定量及び所定圧力の蒸気が蓄圧される。
【０００９】
アキュムレータ２内を自動調節弁８と管路９によって蒸気タービン３と接続する。蒸気タービン３の出力軸１０に発電機４を連結する。アキュムレータ２内に蓄圧された蒸気は、自動調節弁８で所定の流量、圧力に調節されて蒸気タービン３へ供給され回転力を生じ、更に発電機４を駆動して電気を発生する。発生した電気は図示しない電気使用箇所へ供給される。
【００１０】
本実施例においては、蒸気タービン３の蒸気出口管１１に熱磁気エンジン１２を取り付ける。熱磁気エンジン１２は、出口管１１から流入する高温蒸気又は復水の高温と、大気中の常温との温度差を利用して回転力を発生させるもので、発生した回転力は発電機１３へ伝達され、発電機４と同様に電気を生じる。発生した電気は同様に電気使用箇所へ供給される。なお、熱磁気エンジン１２で熱を奪われた復水は排出管１４から外部へ排出される。
【００１１】
アキュムレータ２内には、深夜の間に余剰電力で確実に所定量及び所定圧力の蒸気が蓄圧され、例えば昼間のように電気負荷が大きくなる時期に、アキュムレータ２から蒸気を放出して電気を発生することによって、電気負荷の変動に安価に対処することができる。
【００１２】
【発明の効果】
上記のように本発明によれば、深夜電力等の余剰電気を使用し安定して蒸気を発生することにより、アキュムレータに所定の蒸気を確実に蓄圧して、必要な時期に必要な電気量を発生することのできる発電装置とすることができる。
【図面の簡単な説明】
【図１】本発明の発電装置の実施例を示す構成図。
【符号の説明】
１　　電気ボイラ
２　　アキュムレータ
３　　蒸気タービン
４　発電機
７，８　自動調節弁
１２　熱磁気エンジン
１３　発電機
【図１】
2004100657.tif 000003
(57)【要約】【解決手段】ポンプ室１内に羽根車２を収容し、ポンプ室壁３に沿って冷却水導入通路４の終端部４ａを形成し、羽根車２の回転中心軸線２ａと平行な向きに見て、ポンプ室壁３の中央部にポンプ室入口１ａを開口し、冷却水導入通路４の終端部４ａにポンプ室入口１ａを連通させ、ポンプ室１の外周側にポンプ室出口１ｂを開口した、エンジンの冷却水圧送用ポンプにおいて、羽根車２の回転中心軸線２ａと平行な向きに見て、冷却水導入通路４の終端部４ａを羽根車２の回転方向２ｂに沿わせて湾曲させた。【効果】冷却水の導入方向が羽根車２の回転による冷却水の圧送方向に沿い、その圧送を補助する。このため、このポンプの冷却水の圧送能力を高めることができる。【選択図】　　　図１
2004100654.tif 000002
【特許請求の範囲】
【請求項１】
ポンプ室（１）内に羽根車（２）を収容し、ポンプ室壁（３）に沿って冷却水導入通路（４）の終端部（４ａ）を形成し、羽根車（２）の回転中心軸線（２ａ）と平行な向きに見て、ポンプ室壁（３）の中央部にポンプ室入口（１ａ）を開口し、冷却水導入通路（４）の終端部（４ａ）にポンプ室入口（１ａ）を連通させ、ポンプ室（１）の外周側にポンプ室出口（１ｂ）を開口した、エンジンの冷却水圧送用ポンプにおいて、
羽根車（２）の回転中心軸線（２ａ）と平行な向きに見て、冷却水導入通路（４）の終端部（４ａ）を羽根車（２）の回転方向（２ｂ）に沿わせて湾曲させた、ことを特徴とするエンジンの冷却水圧送用ポンプ。
【発明の詳細な説明】
【０００１】
【発明の属する技術分野】
本発明は、エンジンの冷却水圧送用ポンプに関する。
【０００２】
【従来の技術】
従来、エンジンの冷却水圧送用ポンプとして、図２（Ｄ）に示すように、ポンプ室（１１）内に羽根車（１２）を収容し、図２（Ｃ）に示すように、ポンプ室壁（１３）に沿って冷却水導入通路（１４）の終端部（１４ａ）を形成し、図２（Ｂ）に示すように、羽根車（１２）の回転中心軸線（１２ａ）と平行な向きに見て、ポンプ室壁（１３）の中央部にポンプ室入口（１１ａ）を開口し、冷却水導入通路（１４）の終端部（１４ａ）にポンプ室入口（１１ａ）を連通させ、ポンプ室（１１）の外周側にポンプ室出口（１１ｂ）を開口したものがある。
【０００３】
しかし、この従来技術では、図２（Ｂ）に示すように、羽根車（１２）の回転中心軸線（１２ａ）と平行な向きに見て、冷却水導入通路（１４）の終端部（１４ａ）を真直ぐに形成している。
【０００４】
【発明が解決しようとする課題】
上記従来技術には、次の問題がある。
《問題》　冷却水の送水能力は低いものにとどまっている。
冷却水導入通路（１４）の終端部（１４ａ）からポンプ室入口（１１ａ）を経てポンプ室（１１）内に流入する冷却水の導入方向がポンプ室（１１）の径方向を向き、羽根車（１２）の回転方向（１２ｂ）と直交する。このため、この冷却水の導入方向が羽根車（１２）による冷却水の圧送方向と一致せず、その圧送を補助する向きになっていない。このため、ポンプの冷却水の送水能力は低いものにとどまっている。
【０００５】
本発明の課題は、上記問題点を解決できるエンジンの冷却水圧送用ポンプを提供することにある。
【０００６】
【課題を解決するための手段】
図１（Ｄ）に示すように、ポンプ室（１）内に羽根車（２）を収容し、図１（Ｃ）に示すように、ポンプ室壁（３）に沿って冷却水導入通路（４）の終端部（４ａ）を形成し、図１（Ｂ）に示すように、羽根車（２）の回転中心軸線（２ａ）と平行な向きに見て、ポンプ室壁（３）の中央部にポンプ室入口（１ａ）を開口し、冷却水導入通路（４）の終端部（４ａ）にポンプ室入口（１ａ）を連通させ、ポンプ室（１）の外周側にポンプ室出口（１ｂ）を開口したエンジンの冷却水圧送用ポンプにおいて、
図１（Ｂ）に示すように、羽根車（２）の回転中心軸線（２ａ）と平行な向きに見て、冷却水導入通路（４）の終端部（４ａ）を羽根車（２）の回転方向（２ｂ）に沿わせて湾曲させたことを特徴とする。
【０００７】
【発明の効果】
（請求項１の発明）
請求項１の発明は、次の効果を奏する。
《効果１》　冷却水の送水能力を高めることができる。
図１（Ｂ）に示すように、冷却水導入通路（４）の終端部（４ａ）からポンプ室入口（１ａ）を経てポンプ室（１）内に流入する冷却水の導入方向が羽根車（２）の回転方向（２ｂ）に沿う。このため、この冷却水の導入方向が羽根車（２）の回転による冷却水の圧送方向に沿い、その圧送を補助する。このため、このポンプの冷却水の圧送能力を高めることができる。
【０００８】
《効果２》　既存の冷却水圧送用ポンプの簡単な構造変更で製作することができる。
図１（Ｂ）に示すように、既存の冷却水圧送用ポンプの冷却水導入通路（４）の終端部（４ａ）を湾曲させるだけで製作することができ、既存の冷却水圧送用ポンプの簡単な構造変更で製作することができる。
【０００９】
【発明の実施の形態】
本発明の実施の形態を図面に基づいて説明する。
図１は本発明の実施形態に係るエンジンの冷却水圧送用ポンプを説明する図である。このポンプの構成は、次の通りである。
【００１０】
このポンプは、渦巻きポンプで、図１（Ｄ）に示すように、フロントケース（５）とリヤケース（６）と羽根車（２）とを備えている。フロントケース（５）は回転軸（７）を備え、この回転軸（７）に羽根車（２）を取り付けている。このフロントケース（５）とリヤケース（６）とを組み合わせ、その内部にポンプ室（１）を形成している。このポンプ室（１）内に羽根車（２）を収容している。図１（Ｃ）に示すように、リヤケース（６）の後側のポンプ室壁（３）の後面に沿って冷却水導入通路（４）の終端部（４ａ）を形成している。図１（Ｂ）に示すように、羽根車（２）の回転中心軸線（２ａ）と平行な向きに見て、ポンプ室壁（３）の中央部にポンプ室入口（１ａ）を開口し、冷却水導入通路（４）の終端部にポンプ室入口（１ａ）を連通させ、ポンプ室（１）の外周側にポンプ室出口（１ｂ）を開口している。
【００１１】
図１（Ｂ）に示すように、羽根車（２）の回転中心軸線（２ａ）と平行な向きに見て、冷却水導入通路（４）の終端部（４ａ）を羽根車（２）の回転方向（２）に沿わせて湾曲させている。これにより、冷却水導入通路（４）の終端部（４ａ）からポンプ室入口（１ａ）を経てポンプ室（１）内に流入する冷却水の導入方向が羽根車（２）の回転方向（２ｂ）に沿う。このため、この冷却水の導入方向が羽根車（２）の回転による冷却水の圧送方向に沿い、その圧送を補助する。
【図面の簡単な説明】
【図１】本発明の実施形態に係るエンジンの冷却水圧送用ポンプを説明する図で、図１（Ａ）はポンプの正面図、図１（Ｂ）はリアケースの正面図、図１（Ｃ）は図１（Ｂ）のＣ−Ｃ線断面図、図１（Ｄ）は図１（Ａ）のＤ−Ｄ線断面図である。
【図２】従来技術に係るエンジンの冷却水圧送用ポンプを説明する図で、図２（Ａ）はポンプの正面図、図２（Ｂ）はリアケースの正面図、図２（Ｃ）は図２（Ｂ）のＣ−Ｃ線断面図、図２（Ｄ）は図２（Ａ）のＤ−Ｄ線断面図である。
【符号の説明】
（１）…ポンプ室、（１ａ）…ポンプ室入口、（１ｂ）…ポンプ室出口、（２）…羽根車、（２ａ）…回転中心軸線、（３）…ポンプ室壁、（４）…冷却水導入通路、（４ａ）…終端部。
【図１】
2004100654.tif 000003
【図２】
2004100654.tif 000004
(57)【要約】【目的】停止加力のまま無限回転エネルギーの実現。【構成】停止した加力ギャ（チェーン等も使う）で、１〜複数次調転（巻制含む）で出来る反転力を消去して、正自公転を創出する。〔効果〕　無資源無公害で、停静加力のまま無限回転エネルギーの獲得。【特許請求の範囲】
【請求項１】
本明細書と図面の説明する調久車の諸作用装置。
【請求項２】
同一車軸の加力ギャ径と停止するサンギャ径を同一にするため、セットを自公転させながら加力ギャは停止したまま、永久的回転動力を得ること。
【請求項３】
複数（巻制含む）次調転で大きな正転力を現出させること。
【発明の詳細な説明】
〔発明の属する技術分野〕　機械技術により無限回転エネルギーを生み、クリーンな発電力等を提供する。
〔従来の技術〕　諸資源並空間の減少と莫大な公害を与えた。
〔発明が解決しようとする課題と手段〕
図１を参考にしながら説明する。主柄（角６形）の最下部等の加力テコ先▲３▼で加力ギャ▲５▼を反転向きに加力する。１次調転軸▲１１▼の中小ギャで２次調転軸▲１２▼に数倍の正転力を与えつつ、その小ギャで更に数倍の負力を３次調転軸▲１３▼に与えつつその数倍の正力を４次調転軸▲１４▼に伝える。さらに数倍の正力を▲１４▼に与えつつ、▲１４▼小ギャで補輪▲１４▼′にその２倍の負力を与えつつも、前記正力をアームを延ばした５次調転軸▲２１▼に伝える。
以上がピッチを縮小しながら正力を数十倍以上の増大調転コースで、▲２１▼〜▲２４▼▲１１▼▲３１▼は逆にピッチを縮小しながら加力ギャと同径のサンギャにもどす縮小調転コースとなる。
５次調転の▲２１▼は柄に正負力をつくるが、▲２２▼軸に正力を与えてピッチを拡大し始める。▲２２▼▲２３▼も中小ギャでピッチを拡大しながら正負力を作る。▲２４▼ではピッチを１倍にもどして正力を作りながら▲１１▼′に一旦負力を作るが、▲３１▼で正力を作ってピッチが加力ギャと同径のサンギャと噛合う。したがって加力ギャは停止しながら、加力の数十倍の正転力を獲得できることになる。
参考のため、図１の計算（自）公転力を示す。加力を１とし、諸調転中小ギャ径比を３として、２×４調転を重ねたばあい……▲１１▼−４・５、▲１２▼＋２４、▲１３▼−４４、▲１４▼＋５２６・５、▲１４▼′−８１１、▲２１▼＋３６４・５、▲２２▼＋１４４、▲２３▼−２４、▲２４▼６・５、▲１１▼−９、▲３１▼７　合計１８０倍と拡大する。ただし後記の損失力を最小にする必要がある。
さて正転力を大きくするには、加力等を大きくしながら各調転比等も大きくし、マサツ等と疲労加熱、各セットの水平垂直の組立等での損失力（−Ｍｐを小さくし）を最小にすることはもちろんである。損失Ｍｐを防止等のため諸セットの高さを上下させたり、軸に平行・直角のベァリング等を複数添えられるとよい。ところで、車軸▲１▼の小ギャ（大小組合せてもよい）にできる数倍の正転力を、▲５１▼の中継軸の大小ギャを別大サンギャに巻制（再々度組合せてもよい）すると、さらに大きな正転Ｍｐが得られ、加力１ｋｇでも数十万トン以上の回転エネルギー実現可能となるが、前記等（真空化含む）の損失力防止も必要となる。なお、スプロケットとチェーン等も便利だが、ターンバックル等が必要かもしれず、そして加力テコ等にもバネやフリーギャ等をとりつけられるとよい。それから、前記の巻制で原セットの自公転回数が増えるものの、原セット組合せによるＭｐ増加に伴う部品数等増加はさけられる。
〔発明の形態〕
動力をとりだすには、車軸につけたギャから伝達することはもちろん。
もし、必要なときは本セットを組合せつつ共通加力にしたり、リモコン可能でももちろん。
〔実施例〕
発電機のモーターをはじめ、地海空の回転動力等。
〔発明の効果〕
本装置は古典エネルギー論の次元を超え、停止静加力のまま永久回転力を得るという実に無から有の回転エネルギーを顕在化させ、燃料資源空間等を節約させ、排気や恐ろしい放射能等の諸公害も無用にして、特に発電への利用が貴重となる。
【図面の簡単な説明】
【図１】調久車の透視平面図。
〔図面の線と略語等の説明〕
１　実線は主柄と各軸心、加力ギャ縁突起心（ベァリング心含む）と加力テコを示す。
２　一点鎖線はピッチ円線で平歯車とスプロケット等を示す。
３　破線はチェーン等を示す。
４　セットは全体と原・諸部分装置を示す。
５　ギャは平歯車やスプロケット等を示す。
６　Ｍｐはモーメント力（回転力含む）を示す。
〔図面の簡単な説明〕
▲１▼　車軸
▲３▼　加力テコ先（ギャ縁突起含む）
▲５▼　加力ギャ（噛合点を含む）
▲１１▼　初調転軸　（往）
▲１２▼　２次調転軸　〃
▲１３▼　３次調転軸　〃
▲１４▼　４次調転軸　〃
▲１４▼′　変換挿輪軸
▲２１▼　５次調転軸（復）
▲２２▼　６次調転軸　〃
▲２３▼　７次調転軸　〃
▲２４▼　８次調転軸　〃
▲１１▼′　▲１１▼と同じ位置の添輪
▲３１▼　もどり挿輪軸
▲４５▼　車軸に固定のサンギャ
▲５１▼　巻制中継ギャ軸
【図１】
2004100677.tif 000002
(57)【要約】複数扉の取っ手を連結することにより、２枚以上の扉を取り付けても同方向に開扉すること可能となる。また２枚以上でも一括開扉（または一括閉扉）も、できる。【課題】従来の取っ手では、１つの柱（柱に限定しない）に２枚以上の扉（扉に限定しない）を取り付けると取っ手が異なるため同方向に１活開扉（扉に限定しない）することが困難だった。そこで、本発明は多枚数の扉（扉に限定しない）取っ手を連動することにより内扉内側から外扉を開閉できるようにすることを課題とする。【解決手段】ジョイント爪＆鍵伝動部品とジョイント爪受け＆鍵伝動部品受けを対として、複数の取っ手を合体した時連動操作できる分離可能な取っ手とする。【選択図】　　　　図１
2004100243.tif 000002
【特許請求の範囲】
【請求項１】
ジョイント爪＆鍵伝動部品とジョイント爪受け＆鍵伝動部品受けを対として、複数の取っ手を合体した時連動操作できる分離可能な取っ手。２枚以上の扉（扉に限定しない）を連結した合体分離可能連結取っ手で同方向に一括開扉（扉に限定しない）する。
【発明の詳細な説明】
【０００１】
【発明が属する技術分野】
本発明は、建築金物取っ手および生活関連用品取っ手技術に関する。
【０００２】
【従来の技術】
従来の取っ手では、１つの取っ手で、１枚の扉（扉に限定しない）を開閉。
【０００３】
【発明が解決しようとする課題】
従来の取っ手では、２枚以上の扉（扉に限定しない）に取り付けると内扉から外扉が操作できないので同方向に一括開扉（扉に限定しない）することが困難だった。そこで、本発明は多枚数の扉（扉に限定しない）を合体時連動操作でき分離可能な連結用取っ手とすることを課題とする。
【０００４】
【課題を解決するための手段】
本発明は、上記課題を解決するために、請求項１記載の合体分離可能連結取っ手はジョイント爪＆鍵伝動部品とジョイント爪受け＆鍵伝動部品受けを対として設け、閉扉時は合体し連動操作を可能とし開扉時は合体（一括開閉）又は分離（単独開閉）を可能とする。
【０００５】
【発明の実施の形態】
外扉の内側ノブ（又は、内扉の外側ノブ）にジョイント爪＆鍵伝動部品を設け、内扉の外側ノブ（又は、内扉の外側ノブにジョイント爪＆鍵伝動部品を設けた場合は外扉の内側ノブ）にジョイント爪受け＆鍵伝動部品受けを設けた多枚戸用合体分離可能連結取っ手１対を分離して外扉内扉それぞれの扉に取り付ける。閉扉時はジョイント爪により１対化して連動する。開扉後は、爪受けのロック解除により分離でき単独取っ手として機能する。
【０００６】
【実施例１】
外戸用外扉（ジョイント爪＆鍵伝動部品側）と網戸用内扉（ジョイント爪受け＆鍵伝動部品受け側）に２枚戸用合体分離可能連結取っ手１対を取り付けた状態。
【０００７】
【発明の効果】
本発明は以上に説明したような構成により次のような効果を奏する。
請求項１に記載されている発明はジョイント爪＆鍵伝動部品とジョイント爪受け＆鍵伝動部品受けを対として、複数の取っ手を合体した時連動操作できるようにすることで、２枚以上の扉（扉に限定しない）を取り付けても同方向に開扉（扉に限定しない）すること可能となる。また２枚以上でも一括開（または一括閉）も、できる。
【図面の簡単な説明】
【図１】
【実施例１】の施工状態である。
【図２】
【実施例１】の構成図である。
【図１】
2004100243.tif 000003
【図２】
2004100243.tif 000004